(57)【要約】      （修正有）【課題】より握り心地が良く、不快な電撃感を感じることなく帯電した静電気を放電させることができるドアノブカバーを提供する。【解決手段】ドアノブカバーは、内部が空洞となっている持ち手部を備え、持ち手部は、伸縮性を備え、高抵抗の導電性ゴム材から形成されている。【選択図】図１
0003181713.tif 000002
【実用新案登録請求の範囲】
【請求項１】
内部が空洞となっている持ち手部を備え、
前記持ち手部は、
伸縮性を備え、高抵抗の導電性ゴム材から形成されている
ことを特徴とするドアノブカバー。
【請求項２】
請求項１または２に記載のドアノブカバーであって、
前記持ち手部は、表面に複数の突起を有し、
前記突起は、
伸縮性を備え、高抵抗の導電性ゴム材から前記持ち手部と共に一体形成されている
ことを特徴とするドアノブカバー。
【請求項３】
請求項２に記載のドアノブカバーであって、
前記突起は、
前記持ち手部の下地の厚みよりも長い高さを有するように形成されている
ことを特徴とするドアノブカバー。
【請求項４】
請求項３に記載のドアノブカバーであって、
前記突起は、
先端が先細る形状、または、先端が略楕円形、または、先端が半円形、または、略円柱状の外周方向に沿って伸びるリング状、または、略円柱状の一端から他端に向かって伸びるヒレ状である
ことを特徴とするドアノブカバー。
【請求項５】
請求項１〜４のいずれか一項に記載のドアノブカバーであって、
前記ゴム材をシリコーンゴムとした
ことを特徴とするドアノブカバー。
【考案の詳細な説明】
【技術分野】
【０００１】
本考案は、ドアノブカバーに関する。
【背景技術】
【０００２】
特許文献１には、静電気を防止するシリコーンゴム製の防護カバーが開示されている。
【先行技術文献】
【特許文献】
【０００３】
【特許文献１】実用新案登録第３０９９０４２号公報
【考案の概要】
【考案が解決しようとする課題】
【０００４】
上記の防護カバーは、絶縁性素材であるシリコーンゴムによって成形されているため、防護カバーを装着したドアノブを握っても静電気の放電が生じず、バチッという不快な電撃感を感じないようになっている。一方で、防護カバーに触れても、静電気を放電させることができないため、体に静電気が帯電した状態を解消することができないという問題がある。そのため、防護カバーの無い他のドアノブに触れると放電を起こすことになってしまう。
【０００５】
また、通常の生活で発生する静電気は１万ボルト近くになることがあると言われ、非常に高い電圧が体に帯電していることになる。そのため、薄いシリコーンゴムでドアノブカバーを成形すると、シリコーンゴムを介して放電が起こる可能性がある。また、シリコーンゴムを分厚くすると、ドアノブに取り付け難く、ドアノブ自体が太くなってしまい、手で握った感触が良くない。そのため、より握り心地の良いドアノブカバーが望まれる。
【０００６】
そこで、本考案は、より握り心地が良く、電撃感を感じることなく帯電した静電気を放電させることができるドアノブカバーの提供を目的とする。
【課題を解決するための手段】
【０００７】
上記課題を解決するために、本考案に係るドアノブカバーは、内部が空洞となっている持ち手部を備え、前記持ち手部は、伸縮性を備え、高抵抗の導電性ゴム材から形成されている。
【考案の効果】
【０００８】
本考案に係るドアノブカバーによれば、より握り心地が良く、不快な電撃感を感じることなく帯電した静電気を放電させることができる。
【図面の簡単な説明】
【０００９】
【図１】本考案の第一実施形態に係るドアノブおよびドアノブカバーを示した分解斜視図である。
【図２】本考案の一実施形態に係る突起の形状および高さを示した図である。
【図３】本考案の第二実施形態に係るドアノブおよびドアノブカバーを示した分解斜視図である。
【図４】本考案の変形例に係るドアノブカバーを示した図である。
【図５】本考案の変形例に係るドアノブカバーを示した図である。
【図６】本考案の変形例に係るドアノブカバーを示した図である。
【考案を実施するための形態】
【００１０】
以下、本考案の各実施形態について図面を用いて説明する。
【００１１】
＜第一実施形態＞
図１（ａ）は、本考案の第一実施形態に係るドアノブ１０とドアノブカバー１００とを示した分解斜視図である。図示するように、ドアノブカバー１００の本体は、内部が空洞となっている略円柱形の持ち手部１０１と、正面部１０２と、背面部１０３と、を有している。
【００１２】
なお、正面部１０２には、鍵穴に対応する位置に所定の大きさ（例えば、直径１ｃｍ〜２ｃｍ）の穴１０４が形成されている。また、背面部１０３には、装着時にドアノブ１０を挿入するための開口１０５が形成されている。また、ドアノブカバー１００の下地は、所定の厚み（例えば、２ｍｍ〜４ｍｍ）となるように形成されている。
【００１３】
このようなドアノブカバー１００は、高抵抗の導電性ゴム材から形成される。具体的には、ドアノブカバー１００は、シリコーンゴムにカーボンブラック（煤）を所定の割合で混入させた導電性のシリコーンゴムで形成されている。
【００１４】
なお、カーボンブラックなどの導体（導電性充填剤）は、帯電した体の一部がドアノブカバー１００に接触しても、電撃感を感じず、かつ、緩やかに放電する高抵抗の導電性シリコーンとなる割合で混入されれば良い。具体的には、ドアノブカバー１００は、シリコーンゴムにカーボンブラックを３０％〜６０％の割合で混入することにより形成することができる。
【００１５】
また、シリコーンゴムに混入させる導体は、カーボンブラックの他に、銀粉末、金メッキされたシリカ（二酸化ケイ素ＳｉＯ２）、グラファイト（黒鉛）、導電性亜鉛華などであっても良い。これらの導体が混入される割合についても、適宜設定されれば良い。
【００１６】
また、ドアノブカバー１００は、導電性シリコーンをコンプレッション成形やトランスファー成形、ＬＩＭ（Ｌｉｑｕｉｄ  Ｉｎｊｅｃｔｉｏｎ  Ｍｏｌｄｉｎｇ）成形することにより製造される。例えば、所定形状（左右対称であるドアノブカバー１００の半身形状）の型に導電性の液状シリコーンゴムを流し入れ、それを固化させた半身同士を接合することにより、内部が空洞となっている略円柱形のドアノブカバー１００が成形される。
【００１７】
なお、ドアノブカバー１００は、シリコーンゴムから形成されているため伸縮性を有している。したがって、開口１０５を引き伸ばして広げ、そこからドアノブ１０を挿入することによりドアノブカバー１００を装着することができる。
【００１８】
このように、本実施形態に係るドアノブカバー１００は、導電性を有する高抵抗の導電性シリコーンゴムにより形成されているため、帯電した体の一部がドアノブカバー１００に接触しても、電撃感を感じず、かつ、帯電した静電気を放電することができる。また、ドアノブカバー１００は、所定の厚みを有することから、ドアノブ１０と接する側の面（ドアノブカバー１００の内側面）よりも手に触れる表面側が高抵抗となっている。そのため、体に帯電した静電気を緩やかに放電させることができ、バチッという電撃感を感じに難くなっている。
【００１９】
次に、第二実施形態のドアノブカバーについて説明する。
【００２０】
＜第二実施形態＞
図１（ｂ）は、本実施形態に係るドアノブカバー２００を示した図である。図示するように、ドアノブカバー２００は、持ち手部２０１と、正面部２０２と、背面部２０３と、を有し、持ち手部２０１の表面には外側方向に伸びる複数の突起２１０が形成されている。なお、ドアノブカバー２００の基本的な形状および素材は、第一実施形態のドアノブカバー１００と同様であるため、同一箇所には同一符号を附して説明を省略する。
【００２１】
図２（ａ）は、突起２１０の形状および高さの一例を示した図である。例えば、突起２１０は、先端２１１に向かって先細る髭状に成形されている。また、突起２１０は、ドアノブカバー２００の下地２２０の厚み（例えば、１ｍｍ〜１．５ｍｍ）よりも長い高さ（例えば、２ｍｍ〜４ｍｍ）２２１を有している。
【００２２】
また、ドアノブカバー２００は、突起２１０を含め、高抵抗の導電性シリコーンゴムから一体形成される。なお、成形方法については第一実施形態と同様であるため説明を省略する。
【００２３】
このように、本実施形態に係るドアノブカバー２００は、導電性を有する高抵抗の導電性シリコーンゴムにより形成されているため、帯電した体の一部がドアノブカバー２００に接触しても、電撃感を感じず、かつ、帯電した静電気を放電することができる。また、突起２１０の先端２１１が付け根部分よりも高抵抗となるため、導電性シリコーンゴムの下地２２０に直接接触するよりも緩やかに放電が開始される。すなわち、ドアノブカバー２００は、より電撃感を感じ難くい構造となっている。
【００２４】
また、ドアノブカバー２００の持ち手部２０１には複数の突起２１０が形成されているため、握った感触がフワッとしており、心地よい感触を備えている。すなわち、本実施形態に係るドアノブカバー２００によれば、より握り心地が良く、不快な電撃感を感じることなく、帯電した静電気を放電させることができる。
【００２５】
なお、図示しないが、突起部２１０をより長く形成することにより、ドアノブに手が触れる際、突起２１０が確実に手の表面とドアノブとの間に一定の隙間を形成する作りとした場合、持ち手部２０１に複数の貫通孔を設け、ドアノブカバー２００をドアノブに取り付け易くしても良い。
【００２６】
次に、第三実施形態に係るドアノブカバーについて説明する。
【００２７】
＜第三実施形態＞
図３（ａ）は、第三実施形態に係るドアノブ２０とドアノブカバー３００とを示した分解斜視図である。図示するように、ドアノブカバー３００は、内部が空洞となっている略棒形の持ち手部３０１と、開口部３０２と、を有している。なお、開口部３０２は、装着時にドアノブ２０を挿入するために形成されている。
【００２８】
また、ドアノブカバー３００は、前述の実施形態に係るドアノブカバー１００、２００と同様に、高抵抗の導電性シリコーンゴムから形成されている。
【００２９】
このようなドアノブカバー３００は、伸縮性を有しているため、後端部の開口部３０２を引き伸ばして広げ、そこからＬ字型のドアノブ２０を挿入して装着することができる。
【００３０】
このような第三実施形態に係るドアノブカバー３００によっても、より握り心地が良く、不快な電撃感を感じることなく、帯電した静電気を放電させることができる。
【００３１】
また、第二実施形態と同様に、ドアノブカバー３００の表面に突起２１０を形成しても良い。図３（ｂ）は、持ち手部３０１の表面に突起２１０が形成されているドアノブカバー３００を示した図である。なお、突起２１０の形状および高さは、図２（ａ）に示す突起２１０と同様である。
【００３２】
次に、変形例について説明する。
【００３３】
＜変形例＞
図２（ｂ）、図２（ｃ）は、変形例に係る突起を示した図である。図２（ｂ）の突起２３０は、先端２３１が略楕円形の髭状に形成されている。また、図２（ｃ）に示す突起２４０は、先端２４１が半円形で丸くなっており、図２（ａ）、図２（ｂ）の突起よりも太いイボ状の形状をなしている。また、いずれの突起２３０、２４０も、ドアノブカバー１００（ドアノブカバー２００、ドアノブカバー３００）の下地２２０の厚み（例えば、１ｍｍ〜１．５ｍｍ）よりも長い高さ（例えば、２ｍｍ〜４ｍｍ）２２１を有している。
【００３４】
図４（ａ）は、突起２３０が形成されているドアノブカバー４００を示した図である。また、図４（ｂ）は、突起２３０が形成されているドアノブカバー５００を示した図である。また、図５（ａ）は、突起２４０が形成されているドアノブカバー６００を示した図である。図５（ｂ）は、突起２４０が形成されているドアノブカバー７００を示した図である。なお、ドアノブカバー２００およびドアノブカバー３００と同一の箇所については同一符号を附して説明を省略する。
【００３５】
なお、突起の形状は、これらの実施形態および変形例で示す形状に限定されるものではなく、リング状やヒレ状の形状に形成されたものであっても良い。図５（ａ）は、リング状の突起２５０が形成されているドアノブカバー８００を示した図である。リング状の突起２５０は、持ち手部１０１の外周に沿って所定の高さで形成されている。
【００３６】
また、図５（ｂ）は、ヒレ状の突起２６０が形成されているドアノブカバー９００を示した図である。ヒレ状の突起２６０は、正面部１０２から背面部１０３に向かって所定の高さで形成されている。
【００３７】
なお、いずれの突起２５０、２６０も、ドアノブカバー８００、９００の下地２２０の厚み（例えば、１ｍｍ〜１．５ｍｍ）よりも長い高さ（例えば、２ｍｍ〜４ｍｍ）２２１を有している。また、突起２５０、２６０は、ドアノブカバー３００の持ち手部３０１表面に形成されても良い。また、本考案に係る突起は、これらの形状に限定されるものではない。
【００３８】
このような変形例に係るドアノブカバーによっても、より握り心地が良く、不快な電撃感を感じることなく、帯電した静電気を放電させることができる。
【符号の説明】
【００３９】
１０・・・ドアノブ、１００・・・ドアノブカバー、１０１・・・持ち手部、
１０２・・・正面部、１０３・・・背面部、１０４、１０５・・・穴、
２１０・・・突起
【図１】
0003181713.tif 000003
【図２】
0003181713.tif 000004
【図３】
0003181713.tif 000005
【図４】
0003181713.tif 000006
【図５】
0003181713.tif 000007
【図６】
0003181713.tif 000008
【手続補正書】
【提出日】平成24年11月30日(2012.11.30)
【手続補正１】
【補正対象書類名】実用新案登録請求の範囲
【補正対象項目名】全文
【補正方法】変更
【補正の内容】
【実用新案登録請求の範囲】
【請求項１】
内部が空洞となっている持ち手部を備え、
前記持ち手部は、
伸縮性を備え、高抵抗の導電性ゴム材から形成されている
ことを特徴とするドアノブカバー。
【請求項２】
請求項１に記載のドアノブカバーであって、
前記持ち手部は、表面に複数の突起を有し、
前記突起は、
伸縮性を備え、高抵抗の導電性ゴム材から前記持ち手部と共に一体形成されている
ことを特徴とするドアノブカバー。
【請求項３】
請求項２に記載のドアノブカバーであって、
前記突起は、
前記持ち手部の下地の厚みよりも長い高さを有するように形成されている
ことを特徴とするドアノブカバー。
【請求項４】
請求項３に記載のドアノブカバーであって、
前記突起は、
先端が先細る形状、または、先端が略楕円形、または、先端が半円形、または、略円柱状の外周方向に沿って伸びるリング状、または、略円柱状の一端から他端に向かって伸びるヒレ状である
ことを特徴とするドアノブカバー。
【請求項５】
請求項１〜４のいずれか一項に記載のドアノブカバーであって、
前記ゴム材をシリコーンゴムとした
ことを特徴とするドアノブカバー。